(57)【要約】      （修正有）【課題】水中コイン落としゲームを、フェアで健康的で一人前のきちんとした資質を備えた遊技として社会的に認知されるような専用用具セットを提供する。【解決手段】ゲームの面白さを演出するに足りる充分な水嵩を受容し、ゲームごとに共通平等の水嵩を保証するメモリを設けた水槽Ａに、人の手が入り込めないサイズのコイン投入口Ｂaを持った開かずの蓋Ｄを付け、コインＪの周側面を斜面に形成して水の抵抗を複雑にし、水槽Ａの底ＦにはコインＪの落ち行くゴール的となる投的カップＣの設置位置の目安となるマス目Ｇを設け、水中に落ちたコインＪの回収は磁着式の回収棒を用い、水槽Ａの外周壁の最下部の一箇所に蛇口Ｎを設けて、水嵩の微調整やゲーム終了後の水抜きは手早く行える。【選択図】図１
2013215531.tif 000002
【特許請求の範囲】
【請求項１】
縦長型の水槽を作製し、蓋を設け、水槽側壁に水嵩を計るメモリを設け、閉ざされた開かずの蓋には最大でも人の手が入れられない程のサイズで楕円形等のコイン投入口を数箇所設け、マス目を目安に投的カップを置き、水槽の内底面には投的カップを設置する位置を示す碁盤状のマス目を設け、水槽の外周壁の最下部に水の排出用蛇口を設け、使用するコインは横から見ると逆台形状等のステンレス製の特殊コインを使用し、水中に落ちたコインを回収するコイン回収棒も錆びにくい素材で形成し、コイン回収棒の先端に磁石を設けた事を特徴とする水中コイン落としゲーム用具セット。
【発明の詳細な説明】
【技術分野】
【０００１】  水槽やバケツ等に水をいれて、上からコインを落とし、水槽やバケツ等の中に設置してあるグラスにコインを入れて遊ぶ無電力ゲーム、水中コイン落としゲームに関するものである。
【背景技術】
【０００２】  従来の水中コイン落としゲームは、一般販売されている水槽やバケツを使用して祭事や催し等で稀に楽しまれていたが、水中コイン落としゲーム専用の機材は一般販売されてないように思われる。
なお水とコインを使った「表面張力ゲーム」というものが知られている（特許文献１参照）。
【先行技術文献】
【特許文献】
【０００３】
【特許文献１】登録実用新案第３１６３６５２号公報
【発明の概要】
【発明が解決しようとする課題】
【０００４】  従来の水中コイン落としゲームは、一般販売されている水槽やバケツ等を利用して稀に楽しまれていたが、一般販売されている水槽等は水嵩が浅くコインが入りやすくゲーム性にも欠けるところが大いにあり、水嵩のあるバケツやゴミ箱を使用した場合は側面からゲーム状況を見る事が出来ず面白みも大いに欠けるところがあり、水槽やバケツの上部には蓋がなくプレイヤーが水の中に手を入れる等の不正行為が発生し運営が難しかった。上記の「表面張力ゲーム」に使用される容器セットは単なるコップとコップの開口部に網を張ったものを一セットにして使うというだけのものであり、コイン落としゲームとしてゲームには全く適さない。
又東日本大震災の影響で今後も課題とされる電力需要が問題視される中、無電力のゲームは環境問題への取り組みとして大いに重宝される事が考えられるため、新しい無電力のゲームを世に送り出したい。
本発明は、以上の問題点を解決するためになされたものである。
【課題を解決するための手段】
【０００５】  縦長型の水槽を作製し、蓋を設け、水槽側壁に水嵩を計るメモリを設ける。閉ざされた開かずの蓋には最大でも人の手が入れられない程のサイズで楕円形等のコイン投入口を数箇所設ける。水槽の内底面には投的カップを設置する位置を示す碁盤状のマス目を設け、マス目を目安に投的カップを置く。水槽の外周壁の最下部に水の排出用蛇口を設ける。使用するコインは横から見ると逆台形状等のステンレス製の特殊コインを使用する。
また、水中に落ちたコインを回収するコイン回収棒も錆びにくい素材で形成し、先端に磁石を設ける。
以上を特徴とする水中コイン落としゲーム用具セットである。
【発明の効果】
【０００６】  機械での難易度設定や、手を水に入れたりして人為的に確率調整をすることができない構造で、水の抵抗等の人間の思感を超えた自然物理を、できるだけコントロールしようとするプレイヤーのスキル性が競われて、多くの人々を魅了する事ができる。一方運営側で確率調整ができるゲームは意図的に当選率０％の設定も可能で、この仕組みを産業イベントに採用し販売促進の一環として抽選会を行い人々の好奇心を裏切る行為が巷では行われている。一例としてガラポン抽選会では当たり玉を入れずに豪華な景品が当たる等という不正行為もあり、くじ引き抽選会等も同様の行為を行い人々の好奇心を裏切るという非人道的な行事が行われている事がある。当発明はあくまで自然物理に対するプレイヤーの応用能力や熟練性が勝敗を左右できるため、競争心を刺激し、今までに無いゲーム性を提供する事ができるし、産業イベントやショッピングセンター等の抽選会等で健全な楽しさを提供する事ができる。また、娯楽に電力を使用する事の懸念が少なからず問題視されている社会的事情に照らす時、当発明は電力を使わない点でも時代のニーズに適したゲームと言える。
【図面の簡単な説明】
【図１】本発明の斜視図
【図２】本発明の一部であるコインの斜視図
【図３】本発明の一部であるコインの平面図
【図４】本発明の一部であるコインの側面図
【図５】本発明を用いた水中コイン落としゲームのイメージ図
【発明を実施するための形態】
【０００７】  以下、本発明の実施形態を説明する。
縦長型の水槽（Ａ）を作製し、蓋（Ｄ）を設け、水槽側壁に水嵩を計るメモリ（Ｈ）を設ける。閉ざされた開かずの蓋（Ｄ）には最大でも人の手が入れられない程のサイズで楕円形等のコイン投入口（Ｂａ〜Ｂｃ）を数箇所設ける。水槽の内底面（Ｆ）には投的カップ（Ｃ）を設置する位置を示す碁盤状のマス目（Ｇ）を設け、マス目（Ｇ）を目安に投的カップ（Ｃ）を置く。水槽（Ａ）の外周壁の最下部に水（Ｅ）の排出用蛇口（Ｎ）を設ける。使用するコイン（Ｊ）は横から見ると逆台形状等のステンレス製の特殊コインを使用する。
また、水（Ｅ）の中に落ちたコイン（Ｊ）を回収するコイン回収棒（Ｚ）も錆びにくい素材で形成し、先端に磁石（Ｘ）を設ける。
以上を特徴とする水中コイン落としゲーム用具セットである。
本発明は以上のような構造である。
本発明を使用し参加者がプレイするには、メモリ（Ｈ）を目安に注入された水（Ｅ）の入った水槽（Ａ）のコイン投入口（Ｂａ〜Ｂｃ）のいずれかに、コイン（Ｊ）を投入するのだが、コイン投入口（Ｂａ〜Ｂｃ）は人の手が入りこめないサイズなので、アンフェアな投入は不可能になっている。またコイン（Ｊ）は円盤の裏表面に対し周側面が斜面に形成してあり、水（Ｅ）の中を垂直に落下しにくい形状になっているため、コイン（Ｊ）は水（Ｅ）の抵抗と水中での浮遊力の影響で、左右・前後にヒラヒラと蛇行しながら降下してゆく。水（Ｅ）の中を降下するコイン（Ｊ）が投的カップ（Ｃ）に入ったらゲーム成功、入らなかったらゲーム失敗となる（図５参照）。ゲームの結果が決定したら、コイン回収棒（Ｚ）でコイン（Ｊ）を回収することができる（図５の▲３▼参照）。参加者全員が本発明のゲームを終えたら蛇口（Ｎ）より水（Ｅ）を排出し、用具をきれいに拭き、手早く後方付けをすればよい。
このようなゲームにおいては、敗者は勝った相手プレイヤーに対する腹立たしさよりも、もっと健康的な、自然物理に対する人間としての自己の対応能力の未熟さを自覚し、一種の自然研究の情熱を刺激されるという形で、次のゲームへの興味をかりたてられるのである。
【符号の説明】
【０００８】Ａ  縦長型の水槽，  Ｂａ〜Ｂｃ  コイン投入口，  Ｃ  投的カップ，  Ｄ  蓋，
Ｅ  水，  Ｆ  内底面，  Ｇ  マス目，  Ｈ  メモリ，  Ｎ  蛇口  Ｊ  コイン，
Ｘ  磁石，  Ｚ  コイン回収棒
【図１】
2013215531.tif 000003
【図２】
2013215531.tif 000004
【図３】
2013215531.tif 000005
【図４】
2013215531.tif 000006
【図５】
2013215531.tif 000007